(57)【要約】【課題】読者の期待感を失わせることがなく、例えば、学習参考書であれば、学習者の手間を省きながら、学習意欲や学習効率を向上させ、製造コストも抑えることができる印刷物を提供する。【解決手段】印刷物１０は、算数の学習参考書を例にしたものであり、見開きの左のページに設けられた問題部２０と、右のページに設けられた解答部３０と、解答部３０の解答欄３１に設けられた浮き出し部４０と、赤色の透明なチェックシート５０などとを備え、浮き出し部４０は、緑色で形成された秘密情報部と、赤色で形成された第１の地紋部と、赤色及び黄色で形成された第２の地紋部とが交ぜ合わされて判読困難となっており、浮き出し部４０の上に、チェックシート５０を重ねることによって、秘密情報部が判読可能となる。【選択図】図１
2006082391.tif 000002
【特許請求の範囲】
【請求項１】
所定の色の透明又は半透明のチェックシートと、
前記所定の色の補色を含む第１の色で形成された秘密情報部と、
前記補色以外の第２の色で形成され、前記秘密情報部と交ざり合って、前記秘密情報部を判読困難にする地紋部とを備え、
前記秘密情報部及び前記地紋部に前記チェックシートを重ねると、前記秘密情報部からの光の第１の色部分を前記チェックシートが透過し、前記地紋部からの光の第２の色部分を前記チェックシートが吸収し、前記秘密情報部が判読可能となること、
を特徴とする印刷物。
【請求項２】
所定の色の透明又は半透明のチェックシートを使用する印刷物であって、
前記所定の色の補色を含む第１の色で形成された秘密情報部と、
前記補色以外の第２の色で形成され、前記秘密情報部と交ざり合って、前記秘密情報部を判読困難にする地紋部とを備え、
前記秘密情報部及び前記地紋部に前記チェックシートを重ねると、前記秘密情報部からの光の第１の色部分を前記チェックシートが透過し、前記地紋部からの光の第２の色部分を前記チェックシートが吸収し、前記秘密情報部が判読可能となること、
を特徴とする印刷物。
【請求項３】
請求項１又は請求項２に記載の印刷物において、
前記地紋部は、
文字、図形、記号又はこれらの結合からなる第１の地紋部と、
前記第１の地紋部の背景に形成された第２の地紋部とを備えること、
を特徴とする印刷物。
【請求項４】
請求項３に記載の印刷物において、
前記第１の地紋部は、その大部分が前記秘密情報部と交ざり合うように形成されていること、
を特徴とする印刷物。
【請求項５】
請求項３に記載の印刷物において、
前記第２の地紋部は、複数の色が不規則な形で交ざり合ったまだら模様であること、
を特徴とする印刷物。
【請求項６】
請求項１から請求項５までのいずれか１項に記載の印刷物において、
前記秘密情報部付近に、前記補色以外の第３の色で形成された判読可能な通常情報部を備え、
前記秘密情報部及び前記通常情報部に前記チェックシートを重ねると、前記秘密情報部からの光の第１の色部分を前記チェックシートが透過し、前記通常情報部からの光の第３の色部分を前記チェックシートが吸収し、前記秘密情報部が判読可能となり、前記通常情報部が判読困難となること、
を特徴とする印刷物。
【請求項７】
請求項１から請求項６までのいずれか１項に記載の印刷物において、
この印刷物は、見開きのページに、問題部及び解答部を備える学習用の印刷物であって、
前記解答部は、少なくとも一部が前記秘密情報部及び前記地紋部によって形成されていること、
を特徴とする印刷物。
【発明の詳細な説明】
【技術分野】
【０００１】
本発明は、学習参考書などに好適に利用できる印刷物に関するものである。
【背景技術】
【０００２】
従来、学習参考書は、学習の補助や促進のために作られた書物であり、この学習参考書での学習効率を高めるため、重要語句を赤色で印刷し、赤色の透明なチェックシートを重ねてその重要語句を消し込み、反復的に学習できるようにした仕組みが広く知られている（例えば、特許文献１）。
【０００３】
また、これとは逆に、学習者が自ら消し込む語句を定めたい場合には、緑色のマーカーで所定の語句をマークし、赤色の透明なチェックシートを重ねて、その語句を判読不能とする方法もある。
【０００４】
しかし、上述した仕組みは、学習がある程度進んでから行うにはよい方法であるが、学習の初期段階で行うには、適していない。
それは、暗記ものならまだしも、通常の学習参考書に、最初からチェックシートを重ねて読む人はおらず、通常は、まず、チェックシートを重ねないで読むからである。
【０００５】
このとき、例えば、問題集であれば、最初に答えが見えてしまうと、解答意欲が減退してしまうので、現状は、問題編と、解答・解説編とを別々の冊子に分けて対応することもあるが、これは、学習者にとっては手間であり、製造者にとっては製造コストの上昇の原因となっていた。
【０００６】
また、暗記ものであったとしても、現状の仕組みは、完全なものとはいえない。
その理由は、チェックシートは、挟み込んで携帯できるように、学習参考書よりも小さいサイズである場合が多いが、チェックシートが小さいと、重要語句を隠しきれないことがあるからである。この問題を解決するために、チェックシートを大きくすることも考えられるが、今度は、取り扱い性や携帯性が悪くなってしまう可能性がある。
【０００７】
しかも、チェックシートがどのような大きさであっても、ページをめくったときには、重要語句が不用意に見えてしまう場合もあり、このことは、学習者の学習意欲や期待感を失わせてしまう原因ともなっていた。
【特許文献１】特開平１１−２０２７４８号公報
【発明の開示】
【発明が解決しようとする課題】
【０００８】
本発明の課題は、読者の期待感を失わせることがなく、例えば、学習参考書であれば、学習者の手間を省きながら、学習意欲や学習効率を向上させ、製造コストも抑えることができる印刷物を提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
請求項１の発明は、所定の色の透明又は半透明のチェックシート（５０）と、前記所定の色の補色を含む第１の色で形成された秘密情報部（４１）と、前記補色以外の第２の色で形成され、前記秘密情報部（４１）と交ざり合って、前記秘密情報部（４１）を判読困難にする地紋部とを備え、前記秘密情報部（４１）及び前記地紋部に前記チェックシート（５０）を重ねると、前記秘密情報部（４１）からの光の第１の色部分を前記チェックシート（５０）が透過し、前記地紋部からの光の第２の色部分を前記チェックシート（５０）が吸収し、前記秘密情報部（４１）が判読可能となること、を特徴とする印刷物である。
請求項２の発明は、所定の色の透明又は半透明のチェックシート（５０）を使用する印刷物であって、前記所定の色の補色を含む第１の色で形成された秘密情報部（４１）と、前記補色以外の第２の色で形成され、前記秘密情報部（４１）と交ざり合って、前記秘密情報部（４１）を判読困難にする地紋部とを備え、前記秘密情報部（４１）及び前記地紋部に前記チェックシート（５０）を重ねると、前記秘密情報部（４１）からの光の第１の色部分を前記チェックシート（５０）が透過し、前記地紋部からの光の第２の色部分を前記チェックシート（５０）が吸収し、前記秘密情報部（４１）が判読可能となること、を特徴とする印刷物である。
請求項３の発明は、請求項１又は請求項２に記載の印刷物において、前記地紋部は、文字、図形、記号又はこれらの結合からなる第１の地紋部（４２）と、前記第１の地紋部（４２）の背景に形成された第２の地紋部（４３）とを備えること、を特徴とする印刷物である。
請求項４の発明は、請求項３に記載の印刷物において、前記第１の地紋部（４２）は、その大部分が前記秘密情報部（４１）と交ざり合うように形成されていること、を特徴とする印刷物である。
請求項５の発明は、請求項３に記載の印刷物において、前記第２の地紋部（４３）は、複数の色が不規則な形で交ざり合ったまだら模様であること、を特徴とする印刷物である。
請求項６の発明は、請求項１から請求項５までのいずれか１項に記載の印刷物において、前記秘密情報部（４１）付近に、前記補色以外の第３の色で形成された判読可能な通常情報部（６０）を備え、前記秘密情報部（４１）及び前記通常情報部（６０）に前記チェックシート（５０）を重ねると、前記秘密情報部（４１）からの光の第１の色部分を前記チェックシート（５０）が透過し、前記通常情報部（６０）からの光の第３の色部分を前記チェックシート（５０）が吸収し、前記秘密情報部（４１）が判読可能となり、前記通常情報部（６０）が判読困難となること、を特徴とする印刷物である。
請求項７の発明は、請求項１から請求項６までのいずれか１項に記載の印刷物において、この印刷物は、見開きのページに、問題部（２０）及び解答部（３０）を備える学習用の印刷物であって、前記解答部（３０）は、少なくとも一部が前記秘密情報部（４１）及び前記地紋部によって形成されていること、を特徴とする印刷物である。
【発明の効果】
【００１０】
本発明によれば、秘密情報部と地紋部とを交ぜ合わせ、チェックシートを重ねるまでは、秘密情報部が判読困難であるので、秘密情報部が不用意に見えてしまうことがなく、読者の期待感を向上させることができる。
【００１１】
また、学習参考書の場合には、重要語句などが不用意に見えないので、学習意欲の低下を防止でき、しかも、問題部と解答部とを見開きのページに設けることによって、製造コストを抑えることができ、学習者は、解答部をチェックする手間が省け、学習効率も向上する。
【発明を実施するための最良の形態】
【００１２】
本発明は、学習者の手間を省きながら、学習意欲や学習効率を向上させ、製造コストも抑えることができる印刷物を提供するという目的を、問題部と解答部とを見開きのページに設け、チェックシートを重ねるまでは、解答部の解答欄を判読困難とすることにより実現する。
【実施例１】
【００１３】
以下、図面等を参照して、本発明の実施例について、さらに詳しく説明する。
図１は、本発明による印刷物の実施例１を示す図であり、図２は、補色の関係及び浮き出し部の詳細を示す図であり、図３は、実際に制作された第２の地紋部を示す図であり、図４は、実施例１の印刷物の使用方法を示す図である。
実施例１の印刷物１０は、算数の学習参考書を例にしたものであり、見開きの左のページに設けられた問題部２０と、右のページに設けられた解答部３０と、解答部３０の解答欄３１に設けられた浮き出し部４０と、赤色の透明なチェックシート５０などとを備える。
【００１４】
次に、図２を参照しながら、補色の関係及び浮き出し部４０について説明する。
ここで、補色とは、所定の色に一定の割合で交ぜ合わせると、光では白色光に、絵の具（インク）では暗色系の色になる関係の色のことをいう。
図２（Ａ）は、補色の関係を示す図であり、この図の中で、最も離れた対称の位置にあるものは、補色の関係となる。例えば、赤の補色は、青緑（Ｃ：シアン）であり、緑の補色は、赤紫（Ｍ：マゼンタ）であり、青紫の補色は、黄（Ｙ：イエロー）である。
【００１５】
浮き出し部４０は、秘密情報部４１と、第１の地紋部４２と、第２の地紋部４３とを備え、各部は、上述した補色の関係を基に形成されており、本実施例では、赤色のチェックシート５０を使用するので、赤とシアンが補色の関係にあることを利用している。
【００１６】
図２（Ｂ）に示すように、秘密情報部４１は、緑色で形成され、具体的には、網点面積率が４５〜５５％のシアンと、網点面積率が８５〜９５％のイエローとを交ぜ合わせたものであり、形状は、数字の「２」である。
【００１７】
図２（Ｃ）に示すように、第１の地紋部４２は、赤色で形成され、その大部分が秘密情報部４１と交ざり合って、秘密情報部４１を判読困難にするものであり、具体的には、網点面積率が９０〜１００％のマゼンタと、網点面積率が７０〜８０％のイエローとを交ぜ合わせたものであり、形状は、記号の「？：クエスチョンマーク」である。ここで、判読困難とは、判読しにくい、又は、判読できないことをいう。
【００１８】
図２（Ｄ）に示すように、第２の地紋部４３は、赤色及び黄色で形成され、第１の地紋部４２の背景となる部分であり、具体的には、網点面積率が９５〜１００％のマゼンタ部分４３Ｍと、網点面積率が９５〜１００％のイエロー部分４３Ｙとが不規則な形で交ざり合ったまだら模様である。
【００１９】
第２の地紋部４３は、実際には、図３に示すような、キメの細かいまだら模様であって、１つの色のかたまりが、１ｍｍ〜５ｍｍ程度のものであり、色と色とを線によって仕切らずに、魚のウロコのように塗り分けたものである。このまだら模様は、本件発明者等が試行錯誤の上、開発した模様であり、目視したときには、秘密情報部４１に一番なじむ模様であり、カモフラージュ効果も高かった。
【００２０】
そして、浮き出し部４０は、図２（Ｅ）に示すように、これらの３つの各部を重ね合わせて作製するのであるが、実際には、所定のコンピュータソフトの乗算機能（色を透かして重ね合わせる機能）を利用して画像を生成するので、塗布されるインキの層は、３層ではなく、１層であり、浮き出し部４０全体としては、網点面積率が７０％程度のものになっている。
【００２１】
次に、図１〜図４を参照しながら、実施例１の印刷物の使用方法を説明する。
まず、問題部２０を読みながら問題を解く。
ついで、問題を解き終わったら、図４（Ａ）に示すように、チェックシート５０を用意し、図４（Ｂ）に示すように、浮き出し部４０の上に、チェックシート５０を重ねる。
【００２２】
そうすると、秘密情報部４１からの光のシアン部分の波長をチェックシート５０が透過し、また、第１及び第２の地紋部４２、４３からの光のマゼンタ部分及びイエロー部分の波長をチェックシート５０が吸収する。
これによって、第１及び第２の地紋部４２、４３が見えなくなり、秘密情報部４１の「２」が暗色系の色となって浮き出て、判読可能となる。
最後に、解答部３０の解答欄３１を見て、答え合わせをする。
【００２３】
このように、実施例１によれば、以下のような効果がある。
（１）秘密情報部４１と第１及び第２の地紋部４２、４３とを交ぜ合わせ、チェックシート５０を重ねるまでは、秘密情報部４１が判読困難であるので、秘密情報部４１が不用意に見えてしまうことがなく、学習者の期待感を向上させることができ、学習意欲の低下も防止できる。
（２）問題部２０と解答部３０とを見開きのページに設けることによって、解答用の別冊子は不要となるので、印刷物１０の薄型化や総ページ数の減少化が図れ、製造コストを抑えることができ、また、学習者は、見開きのページで学習を完結させることができ、学習の手間が省け、学習効率も向上する。
【００２４】
（３）２つの地紋部を設け、第１の地紋部４２は、その大部分が秘密情報部４１と交ざり合うように配置し、第２の地紋部４３は、まだら模様としたので、通常の状態での秘密情報部４１の迷彩効果がより高まる。
（４）従来の赤色の透明なチェックシートを重ねて重要語句を消し込む方法では、重要語句を消えやすくするために、印刷インキに特殊な特色インキを使う必要があったが、秘密情報部４１をカモフラージュする浮き出し部４０は、印刷の基準４色（Ｃ、Ｍ、Ｙ、Ｋ）で実現可能なので、印刷インキに通常のインキを使用でき、製造しやすく、コストダウンも図れる。
【実施例２】
【００２５】
図５は、本発明による印刷物の実施例２を示す図である。
なお、前述した実施例１と同様な機能を果たす部分には、同一の符号又は末尾に統一した符号を付して、重複する説明や図面を適宜省略する。
実施例２の印刷物１０Ａは、国語の学習参考書を例にしたものであり、浮き出し部４０付近に、赤色で形成された判読可能な通常情報部６０を備える。
【００２６】
本実施例では、通常情報部６０は、平仮名の「いっせきにちょう」であり、秘密情報部４１は、漢字の「一石二鳥」の「石」と「鳥」であり、その「石」と「鳥」が、浮き出し部４０によって判読困難にされている。
【００２７】
そして、図５（Ｂ）に示すように、浮き出し部４０にチェックシート５０を重ねると、秘密情報部４１の「石」と「鳥」が浮き出て、漢字の「一石二鳥」が判読可能となり、平仮名の「いっせきにちょう」の文字は消えて見えなくなる。
チェックシート５０を外せば、図５（Ａ）に示すように、平仮名の「いっせきにちょう」の文字が現れる。
【００２８】
このように、実施例２によれば、１つのページで、漢字の読みの学習と、書きの学習とが同時に行えるので、学習効率が飛躍的に向上し、また、使い勝手がよく、学習者の勉強意欲も向上する。
【００２９】
（変形例）
以上説明した実施例に限定されることなく、種々の変形や変更が可能であって、それらも本発明の均等の範囲内である。
（１）秘密情報部は、実施例１では、「２」、実施例２では、「石」、「鳥」の例で説明したが、例えば、「３／４」などの分数や、「１０００」などの桁数の多い数字であってもよい。この場合には、分子の「３」分母の「４」の両方に、地紋部としての「？」を交ぜ合わせたり、「１０００」に「？？？」を交ぜ合わせたりして、迷彩効果を高めることが好ましい。
（２）浮き出し部４０は、最終的な答えの部分に設けるだけでなく、解答前の解き方のヒント（例えば、「Ａ辺とＢ辺を、台形の上底と下底と考えると解きやすい。」）などの部分に設けてもよい。
【００３０】
（３）第１の地紋部４２は、「？」の例で説明したが、「チェック」などの文字を用いて、読者の注目を喚起するようにしてもよい。
（４）第２の地紋部４３は、まだら模様の例で説明したが、唐草模様、幾何学模様、縞模様、点状模様、花柄模様、水玉模様、マーブル模様、グラデーション模様、連続的な文字の羅列の模様などであってもよい。
【００３１】
（５）通常情報部６０は、赤色の文字の例で説明したが、これとは逆に、赤色の背景に白抜きの文字で「いっせきにちょう」としてもよい。
（６）印刷物は、チェックシート５０を付属しないものとしてもよい。チェックシート５０を、読者がすでに保有している場合や、印刷物がシリーズものの場合に有効である。
【００３２】
（７）印刷物は、算数と国語の学習参考書の例で説明したが、理科や社会などの他の学習参考書であってもよく、また、クイズやコラムが掲載されている書籍、カード、チラシ、ポスター、広告などの印刷物であってもよい。
【図面の簡単な説明】
【００３３】
【図１】本発明による印刷物の実施例１を示す図である。
【図２】補色の関係及び浮き出し部の詳細を示す図である。
【図３】実際に制作された第２の地紋部を示す図である。
【図４】実施例１の印刷物の使用方法を示す図である。
【図５】本発明による印刷物の実施例２を示す図である。
【符号の説明】
【００３４】
１０、１０Ａ  印刷物
２０  問題部
３０  解答部
３１  解答欄
４０  浮き出し部
４１  秘密情報部
４２  第１の地紋部
４３  第２の地紋部
４３Ｍ  マゼンタ部分
４３Ｙ  イエロー部分
５０  チェックシート
６０  通常情報部
【図１】
2006082391.tif 000003
【図２】
2006082391.tif 000004
【図３】
2006082391.tif 000005
【図４】
2006082391.tif 000006
【図５】
2006082391.tif 000007